(57)【要約】  操作装置（１）は、可動部（４）を備える第２ベース部（３）と、第２ベース部（３）を保持する第１ベース部（２）と、第１ベース部（２）と第２ベース部（３）とを連結するダンパ（５）と、を備え、第２ベース部（３）が揺動可能である。
2017013736.tif 000002
【特許請求の範囲】
【請求項１】
スライド操作子を有する第２ベース部と、
前記第２ベース部を保持する第１ベース部と、
前記第１ベース部と前記第２ベース部とを連結するダンパと、を備え、
前記第２ベース部が揺動可能であることを特徴とする操作装置。
【請求項２】
前記第１ベース部に対する前記第２ベース部の揺動可能とする方向を前記スライド操作子の移動方向のみに規制する移動規制部を備えていることを特徴とする請求項１に記載の操作装置。
【請求項３】
前記スライド操作子の両端部側に、低反発特性を有する材料を配置し、前記スライド操作子の可動範囲を制限することを特徴とする請求項１または請求項２に記載の操作装置。
【請求項４】
請求項１から請求項３のいずれか一項に記載された操作装置を備えていることを特徴とするクロスフェーダ。
【発明の詳細な説明】
【技術分野】
【０００１】
本発明は、操作装置に関する。
【背景技術】
【０００２】
従来、フェーダ等に用いられ、溝孔であるガイドレールに沿ってフェーダノブを移動させることで音量等を調整する操作装置が知られている（例えば、特許文献１参照）。
【先行技術文献】
【特許文献】
【０００３】
【特許文献１】特開２０１０−２４９５２９号公報
【発明の概要】
【発明が解決しようとする課題】
【０００４】
ところで、ＤＪ機器に用いられる操作装置（特にクロスフェーダ）には、例えばミキシングコンソールで使用されるフェーダ等の音響機器の操作装置とは用途が異なり、スライド操作子を素速く摺動できることが要求される。
しかしながら、特許文献１の構成では、スライド操作子を激しく操作した場合、操作後にユーザが手を離すと、スライド操作子がスライドするスリットの端部に、スライド操作子が当たり跳ね返ってしまい、意図しない操作がなされるおそれがある。
そこで、スリット端部に衝撃吸収材等を配置し、スリット端部での衝撃を吸収し、スライド操作子の跳ね返りを抑制することが考えられる。しかしながら、このような構成では、操作時にユーザがスライド操作子から手を離さない場合には、スリット端部に当たったときの衝撃が当該スリット端部で吸収されるため、スライド操作子とスリット端部との接触による操作感が損なわれてしまうおそれがある。【０００５】
本発明は、操作感を損なうことなく、スライド操作子の跳ね返りを抑制可能な操作装置およびクロスフェーダを提供することを１つの目的とする。
【課題を解決するための手段】
【０００６】
請求項１に記載の発明は、スライド操作子を有する第２ベース部と、前記第２ベース部を保持する第１ベース部と、前記第１ベース部と前記第２ベース部とを連結するダンパと、を備え、前記第２ベース部が揺動可能であることを特徴とする操作装置である。【０００７】
請求項４に記載の発明は、請求項１から請求項３のいずれか一項に記載された操作装置を備えていることを特徴とするクロスフェーダである。
【図面の簡単な説明】
【０００８】
【図１】本発明の一実施形態に係る操作装置の斜視図。
【図２】操作装置の一部を切り欠いた正面図。
【図３】操作装置の平面図。
【図４】図３のIV−IV線に沿った断面図。
【発明を実施するための形態】
【０００９】
以下、本発明の一実施形態に係る操作装置について、図面を参照して説明する。なお、本実施形態では、本発明の操作装置をＤＪ機器のクロスフェーダに適用した場合について例示する。また、方向を示す場合には、図１〜図４の＋Ｘ方向を前方、−Ｘ方向を後方、＋Ｙ方向を右方、−Ｙ方向を左方、＋Ｚ方向を上方、−Ｚ方向を下方と言う。
【００１０】
［操作装置の構成］
図１〜図４に示すように、操作装置１は、第１ベース部２と、スライダ操作子としての可動部４を有する第２ベース部３と、２個のダンパ５と、移動規制部６とを備えている。
【００１１】
第１ベース部２は、例えば変形しない例えばプラスチックや金属で形成されている。第１ベース部２は、左右方向に延びる長方形板状の第１本体部２１と、この第１本体部２１の左右両端から上方に延びる一対の側部２２とを備えている。第１本体部２１と一対の側部２２とで囲まれるスペース２３には、第２ベース部３が配置される。
側部２２の上端には、図２に示すように、ダンパ５を取り付けるためのダンパ取付孔２２１が設けられている。
【００１２】
第２ベース部３は、箱状のケース３１と、ガイド部３６とを備えている。
ケース３１は、第２本体部３２と、蓋部３５とを備えている。
第２本体部３２は、例えば第１ベース部２と同様の材料により形成されている。第２本体部３２は、正面部３２１と、上面部３２２と、底面部３２３と、一対の側面部３２４とにより背面側が開口した箱状に形成されている。
【００１３】
上面部３２２には、正面部３２１側に矩形状に切り欠かれた切欠部３２５が設けられている。切欠部３２５におけるケース３１の前後方向に延びる一対の側縁には、それぞれストッパ３２６が設けられている。ストッパ３２６は、例えば弾性体により構成され、前後方向に延びる四角棒状に形成されている。ストッパ３２６としては、反発弾性が低い材料で形成されていることが好ましい。本発明に係る衝撃吸収する機構と反発弾性の低い材料の両面から、可動部４の跳ね返り低減についてより大きな効果が得ることができる。また、吸音特性を備える材料を用いることで、激しい操作により生ずるノイズを低減する効果を得ることができる。一方、反発弾性の低い材料の能力を低減させ硬度を高めた場合には、可動部４と後述するスリット３１１の端部との接触による操作感を確保しつつ、本発明に係る衝撃吸収する機構により可動部４の跳ね返りを低減させることが可能となる。
側面部３２４には、ケース３１の外側に突出する鍔部３２７が設けられている。鍔部３２７には、図２に示すように、下方に延びるダンパ取付ピン３２８が設けられている。
【００１４】
蓋部３５は、変形しない例えばプラスチックや金属により、第２本体部３２の開口を閉塞可能な形状に形成されている。蓋部３５の上側の部分には、第２本体部３２の切欠部３２５に嵌合可能な突出部３５１が設けられている。突出部３５１は、突出方向の長さが切欠部３２５の切欠きの深さよりも短い形状に形成されている。このような構成により、蓋部３５が第２本体部３２に図示しないねじで固定されたときに、ケース３１における上面に、ケース３１の内部と外部とを貫通し、かつ、可動部４の移動方向に延びるスリット３１１が形成される。また、ストッパ３２６が、スリット３１１の長手方向両端縁に位置する。
【００１５】
ガイド部３６は、図３に示すように、第１シャフト３６１と、第２シャフト３６２とを備えている。第１シャフト３６１は、ケース３１内部の上側に固定されている。第２シャフト３６２は、ケース３１内部の下側に固定されている。
【００１６】
可動部４は、変形しない例えばプラスチックや金属により、十字状に形成されている。具体的には、可動部４は、図示しない中央部と、中央部から左右にそれぞれ突出する２個の側方突出部４１と、中央部から下方に延びる図示しない下方突出部と、中央部から上方に延びる上方突出部４２とを備えている。
２個の側方突出部４１の突出方向先端側には、第１シャフト３６１が挿通される図示しない軸受孔がそれぞれ設けられている。
下方突出部の突出方向先端には、下方が開口するＣ字状に形成され、第２シャフト３６２が内部に配置される図示しない軸受溝が設けられている。
このような構成により、軸受孔に挿通された第１シャフト３６１と、軸受溝に配置された第２シャフト３６２とがケース３１に固定されることで、可動部４が第２ベース部３によって、第１シャフト３６１および第２シャフト３６２の軸方向に沿って往復可能に保持される。
上方突出部４２は、可動部４が第２ベース部３に設けられたときに、スリット３１１から突出し、かつ、ストッパ３２６に接触する形状に形成されている。上方突出部４２には、上方に延びる取付部４３が設けられている。取付部４３には、図示しない操作つまみが取り付けられる。
【００１７】
ダンパ５は、弾性変形可能な例えばゴムにより略円筒状に形成されている。ダンパ５は、図２に示すように、第１ベース部２のダンパ取付孔２２１に嵌合されている。ダンパ５の略円筒状の内部には、第２ベース部３のダンパ取付ピン３２８が嵌合されている。このような構成により、第１ベース部２と第２ベース部３とがダンパ５により連結され、第２ベース部３が第１ベース部２に対して揺動可能になる。
【００１８】
移動規制部６は、第１移動規制軸６１と、一対の第１軸保持部６２と、第１摺接部６３と、第２移動規制軸６４と、一対の第２軸保持部６５と、一対の第２摺接部６６とを備えている。
第１移動規制軸６１および第２移動規制軸６４は、例えば金属により丸棒状に形成されている。
【００１９】
一対の第１軸保持部６２は、図２および図４に示すように、第１本体部２１の前端縁近傍において、左右方向に並んで設けられている。一対の第１軸保持部６２の間には、第１摺接部６３を配置可能なスペースが設けられている。
第１軸保持部６２は、第１支持部６２１と、ねじ６２５とを備えている。第１支持部６２１は、四角ブロック状に形成され、その上面が第１移動規制軸６１を支持する第１支持面６２２を構成している。また、第１支持部６２１の後端縁には、第１支持面６２２から上方に突出しかつ左右に延びる後方位置決め部６２３が設けられている。さらに、第１支持部６２１の前端縁側には、ねじ６２５が取り付けられるねじ孔６２４が設けられている。
そして、第１移動規制軸６１が一対の第１支持部６２１を架け渡すように第１支持面６２２に載置されるとともに、ねじ孔６２４にねじ６２５が取り付けられることで、第１移動規制軸６１が第１支持面６２２と後方位置決め部６２３とねじ６２５とに挟持され、の前後および左右への移動が規制される。
【００２０】
第１摺接部６３は、第２ベース部３の底面部３２３の左右方向中央に設けられている。第１摺接部６３は、底面部３２３から下方に延びる下方延出部６３１と、この下方延出部６３１の下端から前方に延びる前方延出部６３２とにより、側面視で略Ｌ字状に形成されている。前方延出部６３２の左右方向中央には、第１摺接突部６３３が設けられている。底面部３２３における第１摺接突部６３３に対向する位置には、第２摺接突部６３４が設けられている。第１摺接突部６３３および第２摺接突部６３４は、互いに近づく方向に突出している。
また、底面部３２３における第１摺接部６３の左右両側には、第３摺接突部６３５が設けられている。
そして、第１摺接部６３の第１摺接突部６３３と第２摺接突部６３４とが、第１移動規制軸６１の軸方向中央を保持するとともに、この保持された第１移動規制軸６１の軸方向両端側が第３摺接突部６３５に当接する。
【００２１】
一対の第２軸保持部６５は、図３および図４に示すように、第１本体部２１の後端縁近傍において、左右方向に並んで設けられている。
第２軸保持部６５は、第２支持部６５１と、ねじ６５５とを備えている。第２支持部６５１は、四角ブロック状に形成され、その上面が第２移動規制軸６４を支持する第２支持面６５２を構成している。また、第２支持部６５１の前端縁には、第２支持面６５２から上方に突出しかつ左右に延びる前方位置決め部６５３が設けられている。さらに、第２支持部６５１の後端縁側には、ねじ６５５が取り付けられるねじ孔６５４が設けられている。
そして、第２移動規制軸６４が一対の第２支持部６５１を架け渡すように第２支持面６５２に載置されるとともに、ねじ孔６５４にねじ６５５が取り付けられることで、第２移動規制軸６４が第２支持面６５２と前方位置決め部６５３とねじ６５５とに挟持され、第２移動規制軸６４の前後および左右への移動が規制される。
【００２２】
一対の第２摺接部６６は、第２ベース部３の蓋部３５の背面側における左右両側に設けられている。第２摺接部６６は、蓋部３５から背面側に延びる後方延出部６６１と、この後方延出部６６１の後端から下方に延びる下方延出部６６２とを備えている。また、蓋部３５の背面における下方延出部６６２に対向する部分は、当該背面の他の部分よりも下方延出部６６２側に位置しており、第２摺接部６６を構成する摺接面６６３として機能する。
そして、第２軸保持部６５よりも外側の位置において、第２摺接部６６の下方延出部６６２と摺接面６６３とが第２移動規制軸６４を保持する。
【００２３】
このように、第１摺接部６３が第１移動規制軸６１を保持するとともに第２摺接部６６が第２移動規制軸６４を保持することで、第１ベース部２は、第２ベース部３に対して第１移動規制軸６１および第２移動規制軸６４の軸方向のみに移動することができ、それ以外の方向に移動できなくなる。
【００２４】
［実施形態の効果］
上述したように、操作装置１は、第１ベース部２と、可動部４が設けられた第２ベース部３とを連結するダンパ５を備えている。
このため、例えば可動部４の取付部４３に取り付けられた図示しない操作つまみが、図３に実線で示す位置から、激しい操作により二点鎖線で示す位置まで操作され、可動部４がスリット３１１の端部に衝突しても、このときの衝撃は、第１ベース部２に対して第２ベース部３全体が移動することでダンパ５に吸収される。このため、可動部４がストッパ３２６に衝突後に、ユーザが操作子から手を離しても、可動部４が跳ね返る量を少なくすることができる。
また、スリット３１１の端部に硬度が低い衝撃吸収材を設ける必要がないため、可動部４がストッパ３２６に衝突時に、可動部４がストッパ３２６に当たったときの操作感が損なわれてしまうことを抑制できる。
【００２５】
さらに、移動規制部６が第１ベース部２に対する第２ベース部３の移動を第１移動規制軸６１および第２移動規制軸６４の軸方向、すなわち可動部４の移動方向のみに規制している。
このため、ユーザの操作中に第２ベース部３が操作つまみの操作方向（可動部４の移動方向）と異なる方向にぐらつくことを抑制できる。
【００２６】
また、本発明がＤＪ機器のクロスフェーダに用いられる際、スリット３１１の端部に設けるストッパ３２６には、吸音性、衝撃吸収性、耐久性、硬度が求められる。吸音性が求められる理由は、衝突音によるノイズを抑制するためである。衝撃吸収性が求められる理由は、可動部４の跳ね返りを抑制するためである。耐久性が求められる理由は、破損や劣化によるストッパ３２６の交換頻度を少なくするためである。硬度が求められる理由は、スリット３１１の端部での位置精度が悪くなることを抑制するためである。
しかし、上記４個の性能を全て満足できる材料の選定は困難であり、ユーザやメーカの意向によりいずれかの性能について妥協せざるを得なかった。
本実施形態によれば、少なくとも衝撃吸収性についてはストッパ３２６とは別部材のダンパ５により満たされるため、衝撃吸収性が多少劣っても、吸音性、耐久性、硬度の少なくとも１つの性能を満たす材料を選定することができ、ストッパ３２６の材料の選択幅を広げることができる。
特に、スリット３１１の端部に吸音性を有する（吸音性が特に優れた）ストッパ３２６を設けているため、可動部４がストッパ３２６に衝突したときの音は、そのほとんどがストッパ３２６により吸音される。したがって、激しい操作時でも衝突音の発生が抑制され、ユーザは快適にＤＪパフォーマンスを行うことができる。
【００２７】
［変形例］
なお、本発明は上記実施形態にのみ限定されるものではなく、本発明の要旨を逸脱しない範囲内において種々の改良ならびに設計の変更などが可能である。
【００２８】
例えば、ダンパ５としてゴムを適用した構成を例示したが、コイルばね、板ばね、スポンジを適用してもよいし、油圧や空圧あるいは磁気を用いたダンパを適用してもよい。また、ダンパ５は左右で同じ構成でなくてもよく、例えば右側のダンパ５をゴムで構成し、左側のダンパ５をコイルばねで構成してもよい。
さらに、第１ベース部２と第２ベース部３とを連結するダンパ５を第１ベース部２の側部２２の上端に設けたが、一対の側部２２の互いに対向する面（右側の側部２２の左面、左側の側部２２の右面）に設けてもよい。また、ダンパ５を設ける位置は左右で同じ位置でなくてもよく、例えば右側の側部２２の左面に一方のダンパ５を設け、左側の側部２２の上端に他方のダンパ５を設けてもよい。
【００２９】
また、移動規制部６を設けなくてもよい。さらに、操作装置１の前側に設けられた第１移動規制軸６１、第１軸保持部６２および第１摺接部６３と、後側に設けられた第２移動規制軸６４、第２軸保持部６５および第２摺接部６６とのうち一方がなくてもよい。
【００３０】
また、ストッパ３２６を設けなくてもよい。さらに、ストッパ３２６として吸音性を優先した材料を選定したが、吸音性よりも、衝撃吸収性と耐久性と硬度とのうち少なくともいずれか１つを優先した材料を選定してもよい。
【００３１】
本発明の操作装置を、ＤＪミキサ、ＤＪプレーヤ、オーディオエフェクタに適用してもよいし、音楽プレーヤ、ゲーム機器、家電製品等、ＤＪ機器以外の製品に適用してもよい。
【符号の説明】
【００３２】
１…操作装置、２…第１ベース部、３…第２ベース部、４…可動部（スライド操作子）、５…ダンパ、６…移動規制部。
【図１】
2017013736.tif 000003
【図２】
2017013736.tif 000004
【図３】
2017013736.tif 000005
【図４】
2017013736.tif 000006
【国際調査報告】
2017013736.tif 000007
2017013736.tif 000008